(57)【要約】【課題】より適切な温度調整を行うことができる輻射パネル構造体および空気調和機を提供する。【解決手段】輻射パネル構造体５ａは、空気取入れ口５１と、輻射部５２と、中間パネル５３とを備える。空気取入れ口５１は、温度調整された空気を取り入れる。輻射部５２は、第１輻射面５４を有し、空気によって大気圧より大きな圧力が生じる圧力発生空間ＰＳを構成する。第１輻射面５４には、空気を吹き出す複数の孔が設けられ、第１輻射面５４は、輻射によって室内の温度調整を行う。中間パネル５３は、圧力発生空間ＰＳを区分する。【選択図】        図２
2004257696.tif 000002
【特許請求の範囲】
【請求項１】
温度調整された空気を取り入れる空気取入れ部（５１）と、
前記空気を吹き出す複数の孔が設けられ輻射によって室内の温度調整を行う輻射面（５４）を有し、前記空気によって大気圧より大きな圧力が生じる圧力発生空間（ＰＳ）を構成する圧力発生空間構成部（５２）と、
前記圧力発生空間（ＰＳ）を区分する仕切り部材（５３，５８）と、
を備える、
輻射パネル構造体（５ａ，５ｃ）。
【請求項２】
前記輻射面は所定の輻射率を有する繊維系材料により形成される、
請求項１に記載の輻射パネル構造体（５ａ，５ｃ）。
【請求項３】
前記仕切り部材（５３，５８）は、前記圧力発生空間（ＰＳ）内で前記輻射面（５４）に対向して配置され、輻射によって室内の温度調整を行う、
請求項１または２に記載の輻射パネル構造体（５ａ，５ｃ）。
【請求項４】
前記仕切り部材（５３，５８）は、繊維系材料により形成される、
請求項３に記載の輻射パネル構造体（５ａ，５ｃ）。
【請求項５】
前記仕切り部材（５３，５８）を移動させる移動装置（５７）をさらに備える、
請求項１から４のいずれかに記載の輻射パネル構造体（５ａ，５ｃ）。
【請求項６】
前記移動装置（５７）は、前記仕切り部材（５３，５８）と前記輻射面とが近接または離反するように前記仕切り部材（５３，５８）を移動させる、
請求項５に記載の輻射パネル構造体（５ａ，５ｃ）。
【請求項７】
前記仕切り部材（５３，５８）は、前記空気に含まれる不要物を低減可能である、
請求項１から６のいずれかに記載の輻射パネル構造体（５ａ，５ｃ）。
【請求項８】
前記仕切り部材（５３，５８）は、所定の効用を有する有効成分を放出可能である、
請求項１から７のいずれかに記載の輻射パネル構造体（５ａ，５ｃ）。
【請求項９】
温度調整された空気を取り入れる空気取入れ部（５１）と、
前記空気により大気圧より大きな圧力が生じる圧力発生空間（ＰＳ）を構成する圧力発生空間構成部（５２）と、
を備え、
前記圧力発生空間構成部（５２）は、
前記空気が吹き出す複数の孔が設けられ輻射によって室内の温度調整を行う第１輻射面（５４）と、
前記第１輻射面（５４）に対向して配置され輻射によって室内の温度調整を行う第２輻射面（５５）と、
を有する、
輻射パネル構造体（５ｂ）。
【請求項１０】
請求項１から９のいずれかに記載の輻射パネル構造体（５ａ−５ｃ）と、
前記空気の温度調整を行う温度調整部（２２）と、
温度調整された前記空気を前記空気取入れ部（５１）へと送る送風部（２３）と、
を備える空気調和機（１）。
【発明の詳細な説明】
【０００１】
【発明の属する技術分野】
本発明は、輻射パネル構造体および空気調和機に関する。
【０００２】
【従来の技術】
温度調整された空気を室内へと吹き出して室内の温度調整を行う対流型空気調和機がよく利用されている。この対流型空気調和機は、通常、室内へと吹き出される空気が通る吹出し口を備えている。この吹出し口は、例えば、空気調和機の室内機の長手方向に沿って室内機の正面下部に設けられた開口である。対流型空気調和機は、吹出し口から温度調整された空気を室内へと吹き出し、温度調整された空気の対流を室内に発生させる。これによって、温度調整された空気を室内の広範囲に到達させることができ、室内の温度調整を行うことができる（特許文献１参照）。
【０００３】
【特許文献１】
特開２００１−４１４８８号公報
【０００４】
【発明が解決しようとする課題】
しかし、上記のような対流型空気調和機では、ドラフトが発生する恐れがある。すなわち、対流型空気調和機では、吹出し口から吹き出た空気の対流が、室内の居住者等に直接に接触し易い。このため、居住者等が不快感を感じる恐れがある。
【０００５】
そこで、本願出願人は、温度調整された空気の吹出しと輻射とを併用して空気調和を行うことができる輻射パネル構造体および空気調和機を開発中である。この輻射パネル構造体および空気調和機では、輻射面の表面から温度調整された空気を吹き出すと共に、吹き出される空気の温度を利用して輻射を行うことができる。この輻射パネル構造体および空気調和機によれば、空気の吹出しと輻射とが併用されるため、吹出しのみによって室内の温度調整が行われる場合と比べて、穏やかな吹出しによって室内の温度調整を行うことができる。このため、この輻射パネル構造体では、ドラフトによる不快感を低減することができる。
【０００６】
このような輻射パネル構造体および空気調和機では、吹き出される空気の温度や風量を調整することにより、輻射量を調整することができる。これにより、室内の温度調整を適切に行うことができる。しかし、居住者等の快適感の向上のためには、さらに適切な温度調整が可能であることが望ましい。
本発明の課題は、より適切な温度調整を行うことができる輻射パネル構造体および空気調和機を提供することにある。
【０００７】
【課題を解決するための手段】
請求項１に記載の輻射パネル構造体は、空気取入れ部と、圧力発生空間構成部と、仕切り部材とを備える。空気取入れ部は、温度調整された空気を取り入れる。圧力発生空間構成部は、輻射面を有し、空気によって大気圧より大きな圧力が生じる圧力発生空間を構成する。輻射面には、空気を吹き出す複数の孔が設けられ、輻射面は、輻射によって室内の温度調整を行う。仕切り部材は、圧力発生空間を区分する。
【０００８】
この輻射パネル構造体では、温度調整された空気が、輻射面の複数の孔から室内へと吹き出される。また、この空気により輻射面の温度が調整されて、輻射面からの輻射量が調整される。このため、輻射面からの空気の吹出しと輻射とによって室内の温度調整を行うことができる。そして、この輻射パネル構造体では、仕切り部材により圧力発生空間が区分される。このため、圧力発生空間の内部の空気を分けることにより、輻射部の温度を調整する空気の量を調整することができる。これにより、この輻射パネル構造体では、より適切な温度調整を行うことができる。
【０００９】
請求項２に記載の輻射パネル構造体は、請求項１に記載の輻射パネル構造体であって、輻射面は所定の輻射率を有する繊維系材料により形成される。なお、輻射面は、輻射による温度調整の観点からは輻射率が０．６以上であることが望ましい。
この輻射パネル構造体では、輻射面が所定の輻射率を有する繊維系材料によって形成される。このため、圧力発生空間に生じた大気圧より大きな圧力によって、輻射面の繊維の目の隙間から温度調整された空気が室内へと吹き出される。このため、この輻射パネル構造体では、輻射面からの空気の吹出しが穏やかである。また、繊維系材料の輻射によっても室内の温度調整を行うことができる。従って、この輻射パネル構造体では、穏やかな吹出しと輻射とによって室内の空気調和を行うことができる。
【００１０】
請求項３に記載の輻射パネル構造体は、請求項１または２に記載の輻射パネル構造体であって、仕切り部材は、圧力発生空間内で輻射面に対向して配置され、輻射によって室内の温度調整を行う。
輻射面に複数の孔が設けられると、孔の部分からは輻射は行われない。このため、輻射面からの輻射量が低減する恐れがある。
【００１１】
しかし、この輻射パネル構造体では、仕切り部材は、圧力発生空間内で輻射面に対向して配置され、輻射によって室内の温度調整を行う。このため、輻射面の孔の部分が、仕切り部材によって補われる。これにより、この輻射パネル構造体では、輻射面の輻射量の低減を抑えることができる。
請求項４に記載の輻射パネル構造体は、請求項３に記載の輻射パネル構造体であって、仕切り部材は、繊維系材料により形成される。
【００１２】
この輻射パネル構造体では、仕切り部材は、繊維系材料により形成される。このため、空気が仕切り部材を穏やかに通ることができる。このため、仕切り部材が輻射面に近接している場合でも、輻射面側へと穏やかに空気を通すことができる。これにより、輻射面は完全には塞がれず、微小な空気の吹出しが確保される。
【００１３】
請求項５に記載の輻射パネル構造体は、請求項１から４のいずれかに記載の輻射パネル構造体であって、仕切り部材を移動させる移動装置をさらに備える。
この輻射パネル構造体では、仕切り部材を移動させることにより、仕切り部材によって分けられる空気の量を変更することができる。このため、輻射面から吹き出る空気の量を変更することができる。これにより、この輻射パネル構造体では、より適切な温度調整を行うことができる。
【００１４】
請求項６に記載の輻射パネル構造体は、請求項５に記載の輻射パネル構造体であって、移動装置は、仕切り部材と輻射面とが近接または離反するように仕切り部材を移動させる。
この輻射パネル構造体では、仕切り部材を輻射面に近接させることにより、輻射面から吹き出る空気の量を低減することができる。逆に、仕切り部材を輻射面から離反させることにより、輻射面から吹き出る空気の量を増加させることができる。このように、この輻射パネル構造体では、輻射面から吹き出る空気の量をより適切に調整することができる。これにより、この輻射パネル構造体では、より適切な温度調整を行うことができる。
【００１５】
請求項７に記載の輻射パネル構造体は、請求項１から６のいずれかに記載の輻射パネル構造体であって、仕切り部材は、空気に含まれる不要物を低減可能である。
この輻射パネル構造体では、仕切り部材が空気に含まれる不要物を低減可能である。例えば、仕切り部材が、空気中の臭気成分、塵埃、細菌などを低減することにより、脱臭、集塵、殺菌などの機能を発揮することができる。これにより、居住者等の快適感をより向上させることができる。
【００１６】
請求項８に記載の輻射パネル構造体は、請求項１から７のいずれかに記載の輻射パネル構造体であって、仕切り部材は、所定の効用を有する有効成分を放出可能である。
この輻射パネル構造体では、仕切り部材は、所定の効用を有する有効成分を放出可能である。例えば、フィトンチッド成分を放出することにより、癒し、芳香、殺菌、抗菌等の効用が得られる。また、芳香性を有する他の成分や殺菌性を有する他の成分などが放出されても同様である。この輻射パネル構造体では、このような効用が得られることにより、居住者等の快適感をより向上させることができる。
【００１７】
請求項９に記載の輻射パネル構造体は、空気取入れ部と、圧力発生空間構成部とを備える。空気取入れ部は、温度調整された空気を取り入れる。圧力発生空間構成部は、空気により大気圧より大きな圧力が生じる圧力発生空間を構成する。また、圧力発生空間構成部は、第１輻射面と、第２輻射面とを有する。第１輻射面には、空気が吹き出す複数の孔が設けられ、第１輻射面は、輻射によって室内の温度調整を行う。第２輻射面は、第１輻射面に対向して配置され、輻射によって室内の温度調整を行う。
【００１８】
この輻射パネル構造体では、第１輻射面の孔から温度調整された空気が吹き出される。また、第１輻射面がこの空気によって温度調整されることにより、第１輻射面から輻射が生じる。このため、この輻射パネル構造体では、第１輻射面による空気の吹出しと輻射とにより室内の温度調整を行うことができる。
ところで、第１輻射面に複数の孔が設けられると、孔の部分からは輻射は行われない。このため、第１輻射面からの輻射量が低減する恐れがある。
【００１９】
しかし、この輻射パネル構造体では、第２輻射面は、第１輻射面に対向して配置され、輻射によって室内の温度調整を行う。このため、第１輻射面の孔の部分が、第２輻射面によって補われる。これにより、この輻射パネル構造体では、第１輻射面の輻射量の低減を抑えることができる。
請求項１０に記載の空気調和機は、請求項１から９のいずれかに記載の輻射パネル構造体と、温度調整部と、送風部とを備える。温度調整部は、空気の温度調整を行う。送風部は、温度調整された空気を空気取入れ部へと送る。
【００２０】
この空気調和機では、温度調整部によって空気の温度調整が行われ、温度調整された空気が送風部によって空気取入れ部へと送られる。そして、圧力発生空間の空気が、輻射面又は第１輻射面から室内へと吹き出される。また、圧力発生空間の空気の温度によって、輻射面又は第１輻射面の温度が調整され、輻射面又は第１輻射面からの輻射によっても室内の温度調整が行われる。このように、この空気調和機は、空気の吹出しと輻射とによって室内の温度調整を行うことができる。これにより、この空気調和機では、ドラフトによる不快感を低減することができる。
【００２１】
【発明の実施の形態】
＜第１実施形態＞
［全体構成］
本発明の第１実施形態にかかる空気調和機１を図１に示す。この空気調和機１は、室内機２と室外機３とを備えており、輻射と、温度調整された空気の吹出しとによって冷暖房等の室内の空気調和を行うことができる。なお、図１では、理解の容易のため、空気調和機１の一部が断面図として示されている。
【００２２】
室外機３は、室外に配置され、圧縮機３１、四路切換弁３２、電動弁３３、室外ファン（図示せず）、室外ファンモータ３４、室外機温度センサ３５（以上、図４参照）、室外熱交換器（図示せず）等を備えている。
圧縮機３１、電動弁３３、四路切換弁３２、室外熱交換器等は、後述する室内熱交換器と共に冷媒回路を構成している。室外ファンは、室外ファンモータ３４によって回転駆動され、室外熱交換器を通る空気の流れを生成する。室外機温度センサ３５には、室外熱交換器の温度や室外空気の温度を検出する各種の温度センサが含まれる。
【００２３】
室内機２は、室内の天井面近傍や側壁等の配置され、室内機ケーシング２１、室内熱交換器２２、室内ファン２３、室内ファンモータ２４（図４参照）、室内機温度センサ２５（図４参照）、輻射パネル構造体５ａなどを備えている。
室内機ケーシング２１は、室内熱交換器２２や室内ファン２３等を内部に収納しており、吸込み口２６と接続口２７とを備えている。吸込み口２６は、室内から室内機ケーシング２１内へと取り入れられる空気が通る開口である。接続口２７は、室内機ケーシング２１内で室内熱交換器２２を通って輻射パネル構造体５ａへと送られる空気が通る開口であり、後述する輻射パネル構造体５ａの空気取入れ口５１に接続される。
【００２４】
室内熱交換器２２は、室外熱交換器や圧縮機３１等と冷媒配管４を介して接続されている。室内熱交換器２２は、通過する空気との間で熱交換を行うことによって、空気の温度調整を行う。
室内ファン２３は、室内ファンモータ２４によって回転駆動され、室内から取り込まれ輻射パネル構造体５ａへと送られる空気流を生成する。この空気流は、吸込み口２６から室内機ケーシング２１の内部に取り込まれ、室内熱交換器２２、接続口２７および空気取入れ口５１を通って輻射パネル構造体５ａの内部へと到る空気の流れである。
【００２５】
室内機温度センサ２５には、室内熱交換器の温度や室内空気の温度等を検出する各種の温度センサが含まれる。
輻射パネル構造体５ａは、天井面の近傍に配置され、温度調整された空気の温度を利用した輻射と、温度調整された空気の吹出しとによって冷暖房等の空気調和を行う。輻射パネル構造体５ａの構成については、後に詳細に説明する。
【００２６】
また、空気調和機１は、制御部６を備えている。制御部６は、室外機３と室内機２とに分かれて配置されており、空気調和機１の運転制御を行う。制御部６は、図４に示すように、圧縮機３１、四路切換弁３２、電動弁３３、室外ファンモータ３４、室外機温度センサ３５、室内ファンモータ２４、室内機温度センサ２５、後述する移動装置５７などの構成部品と接続されている。制御部６は、リモコン７から運転指令を受けると、各構成部品を制御して空気調和機１の運転制御を行う。
【００２７】
［輻射パネル構造体の構成］
図２に輻射パネル構造体５ａの外観図を示す。
輻射パネル構造体５ａは、薄い板状の外形を有しており、平面的な形状となっている。また、輻射パネル構造体５ａは、天井面の近傍に天井面に平行に配置される。このため、輻射パネル構造体５ａは、下方の居住空間に対して他の方向よりも大きな投影面積を有している。輻射パネル構造体５ａは、空気取入れ口５１、輻射部５２、中間パネル５３、移動装置５７（図３および図４参照）等を備えている。
【００２８】
空気取入れ口５１は、温度調整された空気を取り入れる部分であり、輻射パネル構造体５ａの側面の一つに設けられた開口である。空気取入れ口５１は、室内機ケーシング２１の接続口２７に脱着自在に接続され、室内ファン２３によって送られる空気（白抜き矢印Ａ１参照）が通過する。なお、空気取入れ口５１は、既存の対流型空気調和機の吹出し口に接続可能としてもよい。
【００２９】
輻射部５２は、第１輻射面５４、第２輻射面５５および３つの側面５６からなり、空気によって大気圧より大きな圧力が生じる圧力発生空間ＰＳを内部に構成する。
第１輻射面５４は、四角形の薄いシート状の形状を有しており、圧力発生空間ＰＳの下方を閉じる。第１輻射面５４は、室内の居住空間に面する位置に天井面と平行に配置されている。また、第１輻射面５４は、約０．９の輻射率を有する織布によって形成されている。
【００３０】
第２輻射面５５は、第１輻射面５４と同一の形状であり、圧力発生空間ＰＳの上方を閉じる。第２輻射面５５は、第１輻射面５４と対向しており、天井面に面する位置に配置されている。すなわち、第２輻射面５５は、第１輻射面５４と天井面との間に配置されている。また、第２輻射面５５は、第１輻射面５４と同じ織布で形成されている。
【００３１】
３つの側面５６は、細長い長方形の形状を有しており、空気取入れ口５１を除く圧力発生空間ＰＳの側方を閉じる。３つの側面５６は、第１輻射面５４の３つの辺と第２輻射面５５の３つの辺とをそれぞれ繋いでいる。また、３つの側面５６は、第１輻射面５４および第２輻射面５５と同じ織布で形成されている。
このように、輻射パネル構造体５ａは、空気取入れ口５１以外が閉じられた袋状の形状を有している。
【００３２】
中間パネル５３は、圧力発生空間ＰＳ内に配置され、圧力発生空間ＰＳを区分する。中間パネル５３は、第１輻射面５４および第２輻射面５５と同様に、四角形の薄いシート状の形状を有しており、第１輻射面５４および第２輻射面５５と同様の織布によって形成されている。中間パネル５３は、圧力発生空間ＰＳ内で第１輻射面５４に対向して配置されており、第１輻射面５４と第２輻射面５５との間に、第１輻射面５４に平行に配置されている。中間パネル５３は、第１輻射面５４と共に、輻射によって室内の温度調整を行う。また、中間パネル５３は、輻射部５２から容易に取り外すことができる。
【００３３】
移動装置５７は、図３に示すように、空気取入れ口５１近傍で中間パネル５３に接続されており、中間パネル５３を移動させる。移動装置５７は、空気の流れの上流側に位置する中間パネル５３の一端と接続されている。移動装置５７は、駆動用モータやギヤ等によって構成されており、中間パネル５３を上下に移動させる。つまり、移動装置５７は、中間パネル５３と第１輻射面５４とが近接または離反するように、中間パネル５３を移動させる。移動装置５７が中間パネル５３を上方へと移動させると（白抜き矢印Ａ２参照）、中間パネル５３は、第２輻射面５５へと近接すると共に第１輻射面５４から離反する。逆に、移動装置５７が中間パネル５３を下方へと移動させると（白抜き矢印Ａ３参照）、中間パネル５３は、第１輻射面５４へと近接すると共に第２輻射面５５から離反する。
【００３４】
［空気調和機の運転動作］
次に、この空気調和機１によって室内の空気調和を行う場合の運転動作について説明する。
冷房運転時には、室内熱交換器２２が、蒸発器として機能して、通過する空気から熱を奪う。室内ファン２３によって吸込み口２６から室内機ケーシング２１内に取り込まれた室内の空気は、室内熱交換器２２を通過する際に熱を奪われて冷却される。
【００３５】
この冷却された空気は、図５に示すように、接続口２７および空気取入れ口５１を通って、輻射部５２内の圧力発生空間ＰＳへと送られる。空気が圧力発生空間ＰＳに送られると、大気圧より大きな正の静圧が圧力発生空間ＰＳに生じる。すなわち、天井面に平行に流れる空気の流れ（実線矢印Ａ１参照）に対して垂直な方向に大気圧より大きな圧力が生じる。このため、冷却された空気が、輻射部５２の織布の繊維の隙間から押し出され、室内へと穏やかに吹き出される（実線矢印Ａ４参照）。
【００３６】
また、輻射部５２が冷却された空気と接触することによって、輻射部５２が冷却される。このため、輻射部５２による冷輻射が生じる（破線矢印Ａ５参照）。
このように、この空気調和機１では、輻射部５２の繊維の隙間からの穏やかな吹出しと、輻射部５２の冷輻射とによって、室内の冷房が行われる。
暖房運転時には、室内熱交換器２２が凝縮器として機能して、通過する空気を加熱する。加熱された空気は、冷房運転時と同様に、輻射部５２内の圧力発生空間ＰＳへと送られる。そして、加熱された空気が、織布の繊維の隙間から押し出され、室内へと穏やかに吹き出される。また、輻射部５２が加熱された空気と接触することによって、輻射部５２が加熱される。そして、輻射部５２による熱輻射が生じる。このように、この空気調和機１では、輻射部５２の繊維の隙間からの穏やかな吹出しと、輻射部５２の熱輻射とによって、室内の暖房が行われる。
【００３７】
［中間パネルの移動］
この空気調和機１では、制御部６が移動装置５７を制御することにより、中間パネル５３が圧力発生空間ＰＳ内を上下に移動する。このとき、移動装置５７は、空気の流れの上流側で中間パネル５３の一端を上下に移動させる（図３の実線矢印Ａ６，Ａ７参照）。上流側の中間パネル５３の一端が上下に移動すると、下流側の中間パネル５３の部分も、圧力発生空間ＰＳ内を流れる空気の影響を受けて、上下に移動する（白抜き矢印Ａ２，Ａ３参照）。これにより、中間パネル５３全体が上下に平行移動する。
【００３８】
この空気調和機１では、このような中間パネル５３の移動を利用して、以下のような空調運転を行うことができる。
（輻射優先の運転）
この空気調和機１では、空気の吹出しよりも輻射を優先させた空調運転を行うことができる。この場合、図６（ａ）に示すように、制御部６は、中間パネル５３を下方へと移動させて第１輻射面５４に近接させる。中間パネル５３が第１輻射面５４に近接すると、中間パネル５３は、圧力発生空間ＰＳを流れる空気の力によって、第１輻射面５４に押し付けられる。中間パネル５３と第１輻射面５４とは織布によって形成されているため、中間パネル５３が第１輻射面５４に押し付けられた状態では、２枚の織布が重なった状態となる。このため、下方の居住空間から見れば、図７（ｂ）に示すように、織布の繊維の目が細かくなる。なお、図７（ａ）は、中間パネル５３と第１輻射面５４とが重なっていない状態を表しており、図７（ｂ）は、中間パネル５３と第１輻射面５４とが重なって目の粗さが細かくなった状態を表している。このように、中間パネル５３を第１輻射面５４に近接するように移動させることにより、第１輻射面５４側の輻射面密度が増大して平均輻射率が上がる。また、繊維の目が細かくなることにより、空気が通過し難くなるため、第１輻射面５４からの空気の吹出し速度が下がる。このようにして、空気の吹出しよりも輻射を優先させた空調運転が行われる。なお、中間パネル５３は織布で形成されているため、第１輻射面５４と重なっても第１輻射面５４を完全には塞がず、細かくなった繊維の隙間からの微小な吹出しが維持される。
【００３９】
（吹出し優先の運転）
輻射よりも空気の吹出しを優先して空調運転を行う場合には、図６（ｂ）に示すように、制御部６は、中間パネル５３を上方へと移動させて第１輻射面５４から離反させる。中間パネル５３が第１輻射面５４から離反して第２輻射面５５に近接すると、中間パネル５３は、圧力発生空間ＰＳを流れる空気の力によって、第２輻射面５５に押し付けられる。このため、下方の室内から見れば、第１輻射面５４と中間パネル５３とが重なった状態よりも第１輻射面５４の織布の繊維の目が粗くなる。このため、中間パネル５３を第１輻射面５４から離反するように移動させることにより、平均輻射量が下がる。また、空気が通りやすくなるため、第１輻射面５４からの吹出し速度が上がる。このようにして、輻射よりも空気の吹出しを優先させた空調運転が行われる。
【００４０】
［特徴］
（１）
この輻射パネル構造体５ａでは、温度調整された空気が、輻射部５２の繊維の隙間から室内へと吹き出される。また、この空気により輻射部５２の温度が調整されて、輻射部５２からの輻射量が調整される。このため、空気の吹出しと輻射とによって室内の温度調整を行うことができる。そして、この輻射パネル構造体５ａでは、中間パネル５３により圧力発生空間ＰＳが区分される。このため、圧力発生空間ＰＳの内部の空気の流れを２つに分けることができる。例えば、第１輻射面５４側の圧力発生空間ＰＳを流れる空気を比較的少なくすることができる。これにより、第１輻射面５４からの空気の吹出しを低減することができる。逆に、第１輻射面５４側の圧力発生空間ＰＳを流れる空気を比較的多くすることができる。これにより、第１輻射面５４からの空気の吹出しを増大させることができる。この輻射パネル構造体５ａでは、より適切な温度調整を行うことができる。
【００４１】
また、この輻射パネル構造体５ａでは、圧力発生空間ＰＳへと送られる空気の温度および風量の調整と、空気の分割とを併用することによって、輻射部５２からの輻射量を調整することができる。このため、空気の温度および風量の調整のみによって輻射量を調整する場合よりも、輻射量の変化幅が広がる。これにより、この輻射パネル構造体５ａでは、より適切な温度調整を行うことができる。
【００４２】
（２）
この輻射パネル構造体５ａでは、移動装置５７が、第１輻射面５４に対して近接または離反するように中間パネル５３を移動させることができる。このため、上記のように、輻射優先の運転と吹出し優先の運転とを切り替えることができる。例えば、空気調和機１の運転開始時には、吹出し優先の運転を行うとよい。これにより、室内の温度調整を速やかに行うことができる。また、就寝時などには、輻射優先の運転を行うとよい。これにより、ドラフトによる不快感が低減され、室内がより快適な温度環境に維持される。このように、この輻射パネル構造体５ａでは、輻射と吹出しとの調節を容易に行うことができ、快適性の維持が容易である。
【００４３】
（３）
輻射面が織布によって形成されると、繊維の隙間の部分では輻射が行われない。このため、隙間のない輻射面と比べると、輻射面密度が低下する。なお、輻射面密度とは、輻射が生じる部分の面積の輻射面の全面積に対する比である。
しかし、この輻射パネル構造体５ａでは、中間パネル５３が、圧力発生空間ＰＳ内で第１輻射面５４に対向して配置されており、第１輻射面５４等と同じ織布によって形成されている。このため、下方の居住空間から見れば、第１輻射面５４の繊維と中間パネル５３との繊維が重なり合った状態となっている。このため、下方から見た第１輻射面５４の輻射面密度が、第１輻射面５４のみの場合よりも増大している。これにより、この輻射パネル構造体５ａでは、第１輻射面５４からの輻射量の低減が防止されている。
【００４４】
なお、このような輻射量の防止の効果は、第２輻射面５５においても同様である。
（４）
温度調整された空気を直接室内へと吹き出す対流型空気調和機の場合、吹き出された空気が居住者等に直接当たる、いわゆるドラフトが生じやすい。このようなドラフトが生じると、居住者等は不快感を感じることが多い。また、空気の吹出しによって室内の温度調整が行われても、ドラフトによって居住者等の体感温度を悪化させてしまう恐れがある。
【００４５】
この空気調和機１では、上記のように、輻射と穏やかな空気の吹出しとによって室内の冷暖房を行うことができる。このため、ドラフトによる不快感を解消することができる。
（５）
従来よく利用されている対流型空気調和機の場合、室内の場所ごとに大きな温度差が生じる恐れがある。すなわち、吹き出される空気がよく届く場所と吹き出される空気が届き難い場所とで、温度差が生じ易い。もし、場所によって大きな温度差が生じると、場所による快不快の差が激しくなる。また、室内の高さ方向で大きな温度差が生じる恐れもある。
【００４６】
この空気調和機１では、第１輻射面５４の表面積を大きくすることにより、天井面近傍から室内の居住空間の広い範囲へ向けて、輻射と穏やかな空気の吹出しとを行うことができる。このため、室内全体を略均一に暖めまたは冷却することができる。これにより、室内の場所によって不快な温度差が生じることを防止することができる。従って、この空気調和機１では、居住者等の不快感を解消することができる。また、複数の居住者等が室内にいる場合であっても、多くの居住者等にとって快適な温度環境を発生させることができる。
【００４７】
逆に、第１輻射面５４の表面積を変えることにより、部分的に室内の温度環境を変えることも可能である。そして、居住者等が希望する室内の温度環境を発生させることにより、居住者等の快適感をさらに向上させることができる。
なお、輻射パネル構造体５ａは、天井面近傍に配置され薄い板状の形状を有している。このため、居住空間に面する第１輻射面５４の表面積を比較的大きくしても、居住者等の邪魔になる恐れは少ない。
【００４８】
（６）
輻射によって空気調和を行う従来の空気調和機では、輻射率の高い金属製の輻射パネルが用いられることが多い。
この空気調和機１では、輻射部５２と中間パネルとが織布によって形成されているが、この織布は約０．９の輻射率を有する。このため、織布であっても輻射による室内の冷暖房を十分効果的に行うことができる。
【００４９】
（７）
この空気調和機１では、輻射パネル構造体５ａは、室内機ケーシング２１の接続口２７に脱着自在に取り付けられる。このため、輻射パネル構造体５ａを室内機ケーシング２１から取り外すことや、再び取り付けることが容易である。従って、輻射パネル構造体５ａの取付工事やメンテナンスが容易である。
【００５０】
また、輻射パネル構造体５ａを既存の対流型空気調和機に取り付け可能としてもよい。これにより、既存の対流型空気調和機を有効利用して空気調和機１と同等の機能を持つ空気調和機を構成することができる。
＜第２実施形態＞
［構成］
本発明の第２実施形態にかかる輻射パネル構造体５ａでは、中間パネル５３は、空気に含まれる不要物を除去することができる。不要物としては、空気中の臭気成分、塵埃、細菌などがあり、この輻射パネル構造体５ａは、以下に示す機能を有する。
【００５１】
なお、第１輻射面５４は第１実施形態と同様に織布で形成されているが、第２輻射面５５は、空気を通さない材料で形成されている。他の構成については、第１実施形態にかかる空気調和機と同様である。
（１）脱臭機能
中間パネル５３を形成する織布に触媒などが含有されることにより、空気中の臭気成分を吸着または分解することができる。これにより、室内へと吹き出す空気から臭気成分が除去され、臭気の少ない清浄な空気が室内へと吹き出される。
【００５２】
（２）集塵機能
中間パネル５３を形成する織布の繊維によって、空気中の塵埃を捕集することができる。これにより、室内へと吹き出す空気から塵埃が除去され、清浄な空気が室内へと吹き出される。
（３）殺菌機能
中間パネル５３を形成する織布に殺菌剤などが含有されることにより、空気中の細菌を殺菌することができる。これにより、室内へと吹き出す空気から細菌が除去され、清浄な空気が室内へと吹き出される。
【００５３】
（４）有効成分放出機能
中間パネル５３は、所定の効用を有する有効成分を放出可能であってもよい。例えば、フィトンチッド成分を放出することにより、癒し、芳香、殺菌、抗菌等の効用が得られる。また、芳香性や殺菌性を有する化学成分や他の天然成分などが放出されても同様である。中間パネル５３から放出された有効成分は、室内へと吹き出す空気と共に室内へと送られる。
【００５４】
［特徴］
（１）
この輻射パネル構造体５ａでは、上記のように、中間パネル５３が空気に含まれる不要物を除去することができる。これにより、清浄な空気を室内へと吹き出すことができ、居住者等の快適感をより向上させることができる。
【００５５】
（２）
この輻射パネル構造体５ａでは、移動装置５７によって中間パネル５３を移動させることができる。このため、中間パネル５３の移動によって上記の機能の強化および緩和を調整することができる。例えば、中間パネル５３が第２輻射面５５に近接すると、中間パネル５３を通らずに第１輻射面５４から吹き出る空気の量が増大する。このため、第１輻射面５４から吹き出る空気に関しては、上記の機能が緩和される。逆に、中間パネル５３が第１輻射面５４に近接すると、中間パネル５３を通って第１輻射面５４から吹き出る空気の量が増大する。このため、第１輻射面５４から吹き出る空気に関して、上記の機能が強化される。
【００５６】
なお、中間パネル５３が第１輻射面５４に近接する場合と離反する場合とでは、第１輻射面５４から吹き出される空気の通風抵抗が異なることがある。従って、機能の緩和・強化の調整に際しては、このような通風抵抗の差異が考慮されて室内ファン２３による空気の風量が調整されるとよい。
（３）
この輻射パネル構造体５ａでは、中間パネル５３は輻射部５２から容易に取り外される。このため、脱臭や集塵によって中間パネル５３が汚れた場合や殺菌剤が無くなった場合などには、中間パネル５３のみを交換すればよい。このため、この輻射パネル構造体５ａでは、メンテナンスが容易である。
【００５７】
＜第３実施形態＞
［構成］
本発明の第３実施形態にかかる輻射パネル構造体５ｂを図８に示す。この輻射パネル構造体５ｂには、中間パネル５３が設けられていない。他の構成については、第１実施形態にかかる輻射パネル構造体５ａと同様である。
【００５８】
［特徴］
輻射面が織布によって形成されると、繊維の隙間の部分からは輻射は行われない。このため、隙間のない輻射面と比べると輻射面密度が低下する。
この輻射パネル構造体５ｂでは、第２輻射面５５は、第１輻射面５４に対向して配置され、第１輻射面５４と同じ織布によって構成されている。このため、下方の居住空間から見れば、第１輻射面５４の繊維と第２輻射面５５との繊維が重なった状態となっている。このため、第１輻射面５４の繊維の隙間が、同様の輻射能力を有する第２輻射面５５によって補われる。これにより、この輻射パネル構造体５ｂでは、第１輻射面５４からの輻射量の低減を抑えることができる。
【００５９】
なお、上記の第１実施形態にかかる輻射パネル構造体５ａの第１輻射面５４と中間パネル５３との距離と比べると、本実施形態にかかる第１輻射面５４と第２輻射面５５との距離は離れている。しかし、本実施形態における輻射パネル構造体５ｂにおいても、第１輻射面５４のみの場合と比べれば、十分に輻射量の低減が抑えられている。
【００６０】
＜他の実施形態＞
（１）
上記の実施形態では、第１輻射面５４と中間パネル５３とは、柔軟性を有する繊維系材料によって形成されているが、金属材料など剛性を有する材料で形成されてもよい。この場合、第１輻射面５４、第２輻射面５５および中間パネル５３に複数の孔が設けられることにより、上記と同様の効果を奏することができる。
【００６１】
また、上記の実施形態では、織布が、輻射部５２と中間パネル５３との材料として使用されているが、織布以外の繊維系材料が使用されてもよい。
（２）
上記の実施形態では、輻射部５２全体が織布で形成されているが、第１輻射面５４のみが織布で形成され、他の部分は他の材料によって形成されてもよい。また、上記の実施形態では、輻射部５２全体から空気の吹出しが行われているが、第１輻射面５４のみから空気の吹出しが行われてもよい。
【００６２】
また、中間パネル５３が、織布以外の材料で形成されてもよい。そして、第１輻射面５４の輻射面密度の低減を防止する効果以外の効果に関しては、中間パネル５３が所定の輻射率を有するものでなくてもよい。
さらに、中間パネル５３が空気を通さない材料で形成されてもよい。この場合、上記の実施形態と比べると機能は多少劣る可能性があるが、空気の流れを分けることによる温度調整は可能である。
【００６３】
（３）
上記の実施形態では、制御部６が移動装置５７を制御することにより、中間パネル５３が上下に移動しているが、手動によって中間パネル５３が移動してもよい。この場合も上記と同様の効果を奏することができる。
（４）
上記の実施形態では、中間パネル５３は、第１輻射面５４に対して近接または離反するように移動しているが、第１輻射面５４と平行な平面内で移動してもよい。例えば、図９に示す輻射パネル構造体５ｃように、第１輻射面５４よりも小さい中間パネル５８が、第１輻射面５４と第２輻射面５５との間に配置され、第１輻射面５４に対して平行に移動してもよい（実線矢印Ａ８参照）。これにより、第１輻射面５４の各部分のうち、中間パネル５８と対向している部分については、輻射面密度が増大する。このため、第１輻射面５４の部分ごとに輻射量を変えることができ、室内の部分的な温度調整が容易になる。
【００６４】
（５）
上記の実施形態では、０．９の輻射率を有する織布が使用されているが、０．６以上、より望ましくは０．７以上もしくは０．８以上の輻射率を有する織布であればよい。さらに、必要な輻射能力や用途に応じて０．６以下の輻射率であってもよく、この場合も室内の温度調整は可能である。
【００６５】
（６）
上記の実施形態では、天井面近傍に輻射パネル構造体５ａ−５ｃが配置されているが、輻射パネル構造体５ａ−５ｃが室内の側壁近傍に沿うように配置されてもよい。
（７）
上記の実施形態では、室内機ケーシング２１の接続口２７に輻射パネル構造体５ａ−５ｃが接続されているが、空気が吹き出るダクト出口が室内の側壁や天井面等に直接に設けられている場合には、輻射パネル構造体５ａ−５ｃがダクト出口に接続されてもよい。
【００６６】
【発明の効果】
請求項１に記載の輻射パネル構造体では、温度調整された空気が、輻射面の複数の孔から室内へと吹き出される。また、この空気により輻射面の温度が調整されて、輻射面からの輻射量が調整される。このため、輻射面からの空気の吹出しと輻射とによって室内の温度調整を行うことができる。そして、この輻射パネル構造体では、仕切り部材により圧力発生空間が区分される。このため、圧力発生空間の内部の空気を分けることにより、輻射部の温度を調整する空気の量を調整することができる。これにより、この輻射パネル構造体では、より適切な温度調整を行うことができる。
【００６７】
請求項２に記載の輻射パネル構造体では、輻射面が所定の輻射率を有する繊維系材料によって形成される。このため、圧力発生空間に生じた大気圧より大きな圧力によって、輻射面の繊維の目の隙間から温度調整された空気が室内へと吹き出される。このため、この輻射パネル構造体では、輻射面からの空気の吹出しが穏やかである。また、繊維系材料の輻射によっても室内の温度調整を行うことができる。従って、この輻射パネル構造体では、穏やかな吹出しと輻射とによって室内の空気調和を行うことができる。
【００６８】
請求項３に記載の輻射パネル構造体では、仕切り部材は、圧力発生空間内で輻射面に対向して配置され、輻射によって室内の温度調整を行う。このため、輻射面の孔の部分が、仕切り部材によって補われる。これにより、この輻射パネル構造体では、輻射面の輻射量の低減を抑えることができる。
請求項４に記載の輻射パネル構造体では、仕切り部材は、繊維系材料により形成される。このため、空気が仕切り部材を穏やかに通ることができる。このため、仕切り部材が輻射面に近接している場合でも、輻射面側へと穏やかに空気を通すことができる。これにより、輻射面は完全には塞がれず、微小な空気の吹出しが確保される。
【００６９】
請求項５に記載の輻射パネル構造体では、仕切り部材を移動させることにより、仕切り部材によって分けられる空気の量を変更することができる。このため、輻射面から吹き出る空気の量を変更することができる。これにより、この輻射パネル構造体では、より適切な温度調整を行うことができる。
請求項６に記載の輻射パネル構造体では、仕切り部材を輻射面に近接させることにより、輻射面から吹き出る空気の量を低減することができる。逆に、仕切り部材を輻射面から離反させることにより、輻射面から吹き出る空気の量を増加させることができる。このように、この輻射パネル構造体では、輻射面から吹き出る空気の量をより適切に調整することができる。これにより、この輻射パネル構造体では、より適切な温度調整を行うことができる。
【００７０】
請求項７に記載の輻射パネル構造体では、仕切り部材が空気に含まれる不要物を低減可能である。例えば、仕切り部材が、空気中の臭気成分、塵埃、細菌などを低減することにより、脱臭、集塵、殺菌などの機能を発揮することができる。これにより、居住者等の快適感をより向上させることができる。
請求項８に記載の輻射パネル構造体では、仕切り部材は、所定の効用を有する有効成分を放出可能である。例えば、フィトンチッド成分を放出することにより、癒し、芳香、殺菌、抗菌等の効用が得られる。また、芳香性を有する他の成分や殺菌性を有する他の成分などが放出されても同様である。この輻射パネル構造体では、このような効用が得られることにより、居住者等の快適感をより向上させることができる。
【００７１】
請求項９に記載の輻射パネル構造体では、第１輻射面の孔から温度調整された空気が吹き出される。また、第１輻射面がこの空気によって温度調整されることにより、第１輻射面から輻射が生じる。このため、この輻射パネル構造体では、第１輻射面による空気の吹出しと輻射とにより室内の温度調整を行うことができる。
【００７２】
ところで、第１輻射面に複数の孔が設けられると、孔の部分からは輻射は行われない。このため、第１輻射面からの輻射量が低減する恐れがある。
しかし、この輻射パネル構造体では、第２輻射面は、第１輻射面に対向して配置され、輻射によって室内の温度調整を行う。このため、第１輻射面の孔の部分が、第２輻射面によって補われる。これにより、この輻射パネル構造体では、第１輻射面の輻射量の低減を抑えることができる。
【００７３】
請求項１０に記載の空気調和機では、温度調整部によって空気の温度調整が行われ、温度調整された空気が送風部によって空気取入れ部へと送られる。そして、圧力発生空間の空気が、輻射面又は第１輻射面から室内へと吹き出される。また、圧力発生空間の空気の温度によって、輻射面又は第１輻射面の温度が調整され、輻射面又は第１輻射面からの輻射によっても室内の温度調整が行われる。このように、この空気調和機は、空気の吹出しと輻射とによって室内の温度調整を行うことができる。これにより、この空気調和機では、ドラフトによる不快感を低減することができる。
【図面の簡単な説明】
【図１】第１実施形態にかかる空気調和機を示す図。
【図２】第１実施形態にかかる輻射パネル構造体の外観図。
【図３】中間パネルの配置を表す図。
【図４】空気調和機の制御ブロック図。
【図５】空気の吹出しと輻射とが行われている空気調和機を示す図。
【図６】（ａ）輻射優先時の中間パネルの配置を表す図。
（ｂ）吹出し優先時の中間パネルの配置を表す図。
【図７】（ａ）重なっていない状態の第１輻射パネルと中間パネルとを示す図。
（ｂ）重なった状態の第１輻射パネルと中間パネルとを示す図。
【図８】第３実施形態にかかる輻射パネル構造体の外観図。
【図９】他の実施形態にかかる輻射パネル構造体の外観図。
【符号の説明】
１              空気調和機
５ａ−５ｃ      輻射パネル構造体
２２            室内熱交換器（温度調整部）
２３            室内ファン（送風部）
５１            空気取入れ口（空気取入れ部）
５２            輻射部（圧力発生空間構成部）
５３，５８      中間パネル（仕切り部材）
５４            第１輻射面（輻射面）
５５            第２輻射面
５７            移動装置
ＰＳ            圧力発生空間
【図１】
2004257696.tif 000003
【図２】
2004257696.tif 000004
【図３】
2004257696.tif 000005
【図４】
2004257696.tif 000006
【図５】
2004257696.tif 000007
【図６】
2004257696.tif 000008
【図７】
2004257696.tif 000009
【図８】
2004257696.tif 000010
【図９】
2004257696.tif 000011